(57)【要約】【課題】トイレトレーニングの状況に応じて異なるトイレトレーニング情報を出力可能なトイレトレーニングシステム、トイレトレーニング用プログラム、トイレトレーニング方法、及び、トイレトレーニング用端末を提供すること。【解決手段】端末（１）と使い捨ておむつ（１０）を有し、使い捨ておむつ（１０）は第１画像（４１）が付された分離可能なシール部材（３０）を備え、端末（１）の制御部２は、読み取り部（６）が第１画像（４１）を単独で読み取ったことを認識した場合、第１トイレトレーニング情報を出力部（５）に出力させ、読み取り部（６）が第１画像（４１）とともに第２画像（４２）を読み取ったことを認識した場合、第１トイレトレーニング情報とは異なる第２トイレトレーニング情報を出力部（５）に出力させるトイレトレーニングシステム。【選択図】図６
2019076393.tif 000002
【特許請求の範囲】
【請求項１】
読み取り部、出力部、及び、制御部を備えた端末と、
使い捨ておむつと、を有するトイレトレーニングシステムであって、
前記使い捨ておむつは、第１画像が付された分離可能なシール部材を備え、
前記制御部は、
前記読み取り部が前記第１画像を単独で読み取ったことを認識した場合には、第１トイレトレーニング情報を前記出力部に出力させ、
前記読み取り部が前記第１画像とともに第２画像を読み取ったことを認識した場合には、前記第１トイレトレーニング情報とは異なる第２トイレトレーニング情報を前記出力部に出力させることを特徴とするトイレトレーニングシステム。
【請求項２】
請求項１に記載のトイレトレーニングシステムであって、
前記使い捨ておむつは、前記使い捨ておむつの廃棄時に利用される後処理テープを備え、
前記シール部材は、前記後処理テープに貼られていることを特徴とするトイレトレーニングシステム。
【請求項３】
請求項１又は２に記載のトイレトレーニングシステムであって、
前記第２画像は、前記使い捨ておむつに付されていることを特徴とするトイレトレーニングシステム。
【請求項４】
請求項３に記載のトイレトレーニングシステムであって、
前記使い捨ておむつは、前記使い捨ておむつの廃棄時に利用される後処理テープを備え、
前記第２画像は、前記後処理テープに付されていることを特徴とするトイレトレーニングシステム。
【請求項５】
請求項３又は４に記載のトイレトレーニングシステムであって、
前記使い捨ておむつは、吸収性コア、及び、弾性部材を備え、
前記第２画像は、前記使い捨ておむつの厚さ方向において、前記吸収性コアと重複し、かつ、前記弾性部材の伸縮部と重複しない領域に付されていることを特徴とするトイレトレーニングシステム。
【請求項６】
請求項３から５の何れか１項に記載のトイレトレーニングシステムであって、
同一パッケージに収容された複数の前記使い捨ておむつにおいて、前記第１画像、及び、前記第２画像の少なくとも一方が異なり、
前記制御部は、
前記読み取り部が異なる前記第１画像及び前記第２画像の組み合わせを読み取ったことを認識した場合には、異なる種類の前記第２トイレトレーニング情報を、前記出力部に出力させ、
前記読み取り部が異なる前記第１画像を読み取ったことを認識した場合には、異なる種類の前記第１トイレトレーニング情報を、前記出力部に出力させることを特徴とするトイレトレーニングシステム。
【請求項７】
請求項３から６の何れか１項に記載のトイレトレーニングシステムであって、
前記制御部は、
前記読み取り部が、前記使い捨ておむつに貼られた状態の前記シール部材の前記第１画像とともに、前記第２画像を読み取ったことを認識した場合には、前記第２トイレトレーニング情報として、乳幼児にトイレトレーニングを行うことを促す情報を、前記出力部に出力させ、
前記読み取り部が、前記使い捨ておむつから分離された状態の前記シール部材の前記第１画像を単独で読み取ったことを認識した場合には、前記第１トイレトレーニング情報として、乳幼児をトイレへ誘導する情報を、前記出力部に出力させることを特徴とするトイレトレーニングシステム。
【請求項８】
請求項７に記載のトイレトレーニングシステムであって、
前記乳幼児をトイレへ誘導する情報は、少なくとも音情報を有することを特徴とするトイレトレーニングシステム。
【請求項９】
請求項７又は８に記載のトイレトレーニングシステムであって、
前記端末は、記憶部、及び、前記端末の位置情報取得部を備え、
前記制御部は、
前記読み取り部が前記第１画像を単独で読み取ったこと、及び、前記位置情報取得部からの情報に基づき、前記端末がトイレ内に位置することを認識した場合には、
乳幼児をトイレへ誘導した回数を累積し、前記回数を前記記憶部に記憶させ、
前記出力部は、前記回数を出力可能であることを特徴とするトイレトレーニングシステム。
【請求項１０】
請求項７から９の何れか１項に記載のトイレトレーニングシステムであって、
第３画像が付されたトイレトレーニング用の台紙を備え、
前記制御部は、前記読み取り部が、前記台紙の所定の位置に貼られた状態の前記シール部材の前記第１画像とともに、前記第３画像を読み取ったことを認識した場合には、
乳幼児にトイレトレーニングを継続させるように応援する情報、及び、トイレトレーニングを行った乳幼児を褒める情報の少なくとも一方を、前記出力部に出力させることを特徴とするトイレトレーニングシステム。
【請求項１１】
請求項１又は請求項２に記載のトイレトレーニングシステムであって、
トイレトレーニング用の台紙を備え、
前記第２画像は、前記台紙に付されていることを特徴とするトイレトレーニングシステム。
【請求項１２】
請求項１１に記載のトイレトレーニングシステムであって、
前記制御部は、
前記読み取り部が、前記第１画像を単独で読み取ったことを認識した場合には、前記第１トイレトレーニング情報として、乳幼児にトイレトレーニングを行うことを促す情報を、前記出力部に出力させ、
前記読み取り部が、前記台紙の所定の位置に貼られた状態の前記シール部材の前記第１画像とともに、前記第２画像を読み取ったことを認識した場合には、前記第２トイレトレーニング情報として、乳幼児をトイレへ誘導する情報を、前記出力部に出力させることを特徴とするトイレトレーニングシステム。
【請求項１３】
請求項１０から１２の何れか１項に記載のトイレトレーニングシステムであって、
前記端末は、記憶部を備え、
前記制御部は、
前記読み取り部が、前記台紙の所定の位置に貼られた状態の前記シール部材の前記第１画像を読み取ったことを認識した場合には、
前記シール部材の数を累積し、前記数を前記記憶部に記憶させ、
前記出力部は、前記数を出力可能であることを特徴とするトイレトレーニングシステム。
【請求項１４】
請求項１３に記載のトイレトレーニングシステムであって、
前記制御部は、前記記憶部が記憶する前記シール部材の前記数に応じたトイレトレーニング情報を、前記出力部に出力させることを特徴とするトイレトレーニングシステム。
【請求項１５】
請求項１から１４の何れか１項に記載のトイレトレーニングシステムであって、
同一パッケージに収容された複数の前記使い捨ておむつは互いに異なる図柄を有し、
前記端末は、記憶部、及び、日時情報取得部を備え、
前記制御部は、
前記読み取り部が前記使い捨ておむつを撮影した画像データを取得し、かつ、撮影した日時情報を前記日時情報取得部から取得すると、
前記画像データにおける前記使い捨ておむつの図柄、及び、前記日時情報の少なくとも一方に基づき、乳幼児が前記使い捨ておむつを使用した枚数を累積し、前記枚数を記憶部に記憶させ、
前記出力部は、前記枚数を出力可能であることを特徴とするトイレトレーニングシステム。
【請求項１６】
読み取り部、出力部、及び、制御部を備え、
前記読み取り部は、使い捨ておむつに分離可能に設けられたシール部材に付された第１画像を読み取り可能である、端末の前記制御部に、
前記読み取り部が前記第１画像を単独で読み取ったことを認識した場合には、第１トイレトレーニング情報を前記出力部に出力させる機能と、
前記読み取り部が前記第１画像とともに第２画像を読み取ったことを認識した場合には、前記第１トイレトレーニング情報とは異なる第２トイレトレーニング情報を前記出力部に出力させる機能と、を実現させるためのトイレトレーニング用プログラム。
【請求項１７】
読み取り部、出力部、及び、制御部を備えた端末を利用したトイレトレーニング方法であって、
前記読み取り部は、使い捨ておむつに分離可能に設けられたシール部材に付された第１画像を、読み取り可能であり、
前記制御部は、前記読み取り部が前記第１画像を単独で読み取ったことを認識した場合には、第１トイレトレーニング情報を前記出力部に出力させるステップと、
前記制御部は、前記読み取り部が前記第１画像とともに第２画像を読み取ったことを認識した場合には、前記第１トイレトレーニング情報とは異なる第２トイレトレーニング情報を前記出力部に出力させるステップと、を有することを特徴とするトイレトレーニング方法。
【請求項１８】
読み取り部、出力部、及び、制御部を備えたトイレトレーニング用端末であって、
前記読み取り部は、使い捨ておむつに分離可能に設けられたシール部材に付された第１画像を、読み取り可能であり、
前記制御部は、
前記読み取り部が前記第１画像を単独で読み取ったことを認識した場合には、第１トイレトレーニング情報を前記出力部に出力させ、
前記読み取り部が前記第１画像とともに第２画像を読み取ったことを認識した場合には、前記第１トイレトレーニング情報とは異なる第２トイレトレーニング情報を前記出力部に出力させることを特徴とするトイレトレーニング用端末。
【発明の詳細な説明】
【技術分野】
【０００１】
本発明は、トイレトレーニングシステム、トイレトレーニング用プログラム、トイレトレーニング方法、及び、トイレトレーニング用端末に関する。
【背景技術】
【０００２】
特許文献１には、使い捨ておむつに付与された所定画像が、携帯通信端末の撮影部によって撮影された場合、撮影された全体画像と共に、所定画像に関連付けられている画像や文字や音声を出力するシステムが開示されている。
【先行技術文献】
【特許文献】
【０００３】
【特許文献１】特開２０１５−４１９０５号
【発明の概要】
【発明が解決しようとする課題】
【０００４】
しかしながら、特許文献１は低月齢の乳幼児を持つ母親に対して望ましい育児環境を提供することを目的としている。そのため、おむつを着用した乳幼児を撮影し、乳幼児と共に、母親を励ましたり褒めたりする画像等が出力される。
一方、成長した乳幼児は、トイレで排泄できるようにトイレトレーニングを行う。トイレトレーニングでは、例えば、おむつの着用前には「おむつを汚さないように頑張ろう」等の声掛けをしたり、おむつの着用中には「トイレに行ってみよう」等の声掛けをしたりと、状況に応じて異なる声掛けを乳幼児にする必要がある。そのため、特許文献１のシステムをトイレトレーニングにそのまま適用することは難しい。
【０００５】
本発明は、上記のような従来の問題に鑑みてなされたものであって、その目的は、トイレトレーニングの状況に応じて異なるトイレトレーニング情報を出力可能なトイレトレーニングシステム、トイレトレーニング用プログラム、トイレトレーニング方法、及び、トイレトレーニング用端末を提供することにある。
【課題を解決するための手段】
【０００６】
上記目的を達成するための主たる発明は、
読み取り部、出力部、及び、制御部を備えた端末と、
使い捨ておむつと、を有するトイレトレーニングシステムであって、
前記使い捨ておむつは、第１画像が付された分離可能なシール部材を備え、
前記制御部は、
前記読み取り部が前記第１画像を単独で読み取ったことを認識した場合には、第１トイレトレーニング情報を前記出力部に出力させ、
前記読み取り部が前記第１画像とともに第２画像を読み取ったことを認識した場合には、前記第１トイレトレーニング情報とは異なる第２トイレトレーニング情報を前記出力部に出力させることを特徴とするトイレトレーニングシステムである。
本発明の他の特徴については、本明細書及び添付図面の記載により明らかにする。
【発明の効果】
【０００７】
本発明によれば、トイレトレーニングの状況に応じて異なるトイレトレーニング情報を出力可能なトイレトレーニングシステム、トイレトレーニング用プログラム、トイレトレーニング方法、及び、トイレトレーニング用端末を提供することができる。
【図面の簡単な説明】
【０００８】
【図１】端末１の構成を示すブロック図である。
【図２】使い捨ておむつ１０の背面図である。
【図３】図３Ａ及び図３Ｂは後処理テープ１３及びシール部材３０の概略断面図である。
【図４】図４Ａから図４Ｃは台紙２０の説明図である。
【図５】ＡＲマーカーとトイレトレーニング情報が対応付けられたテーブル９の説明図である。
【図６】トイレトレーニング方法のフロー図である。
【図７】図７Ａ及び図７Ｂは第１ＡＲマーカー４１及び第２ＡＲマーカー４２を読み取った端末１の画面５ａの図である。
【図８】図８Ａはおむつ１０を撮影した画像データを示す端末１の画面５ａの図であり、図８Ｂはおむつ１０の使用枚数を示す端末１の画面５ａの図である。
【図９】便器５０に貼り付けられたシール部材３０の説明図である。
【図１０】図１０Ａ及び図１０Ｂは第１ＡＲマーカー４１を読み取った端末１の画面５ａの図である。
【図１１】トイレへ誘導した回数を示す端末１の画面５ａの図である。
【図１２】図１２Ａ及び図１２Ｂは第１ＡＲマーカー４１及び第３ＡＲマーカー４３を読み取った端末１の画面５ａの図である。
【図１３】シール部材３０の数を示す端末１の画面５ａの図である。
【図１４】変形例１のトイレトレーニング方法のフロー図である。
【図１５】変形例２のトイレトレーニング方法のフロー図である。
【発明を実施するための形態】
【０００９】
本明細書及び添付図面の記載により、少なくとも以下の事項が明らかとなる。
読み取り部、出力部、及び、制御部を備えた端末と、使い捨ておむつと、を有するトイレトレーニングシステムであって、前記使い捨ておむつは、第１画像が付された分離可能なシール部材を備え、前記制御部は、前記読み取り部が前記第１画像を単独で読み取ったことを認識した場合には、第１トイレトレーニング情報を前記出力部に出力させ、前記読み取り部が前記第１画像とともに第２画像を読み取ったことを認識した場合には、前記第１トイレトレーニング情報とは異なる第２トイレトレーニング情報を前記出力部に出力させることを特徴とするトイレトレーニングシステムである。
【００１０】
このようなトイレトレーニングシステムによれば、１つのシール部材によって、トイレトレーニングの状況に応じた異なる情報を端末から出力できる。よって、効率的にトイレトレーニングを進められる。また、端末から出力される視覚的、聴覚的な情報により、乳幼児は楽しみながらトイレトレーニングを行える。
【００１１】
かかるトイレトレーニングシステムであって、前記使い捨ておむつは、前記使い捨ておむつの廃棄時に利用される後処理テープを備え、前記シール部材は、前記後処理テープに貼られていることを特徴とするトイレトレーニングシステムである。
【００１２】
このようなトイレトレーニングシステムによれば、シール部材の位置が認識されやすい。また、シール部材が平坦な形状を維持しやすくなり、第１画像が確実に読み取られる。また、おむつからシール部材を分離しやすくなり、かつ、シール部材の接着力が維持される。
【００１３】
かかるトイレトレーニングシステムであって、前記第２画像は、前記使い捨ておむつに付されていることを特徴とするトイレトレーニングシステム。
【００１４】
このようなトイレトレーニングシステムによれば、おむつの図柄を利用して、異なるトイレトレーニング情報を出力できる。
【００１５】
かかるトイレトレーニングシステムであって、前記使い捨ておむつは、前記使い捨ておむつの廃棄時に利用される後処理テープを備え、前記第２画像は、前記後処理テープに付されていることを特徴とするトイレトレーニングシステムである。
【００１６】
このようなトイレトレーニングシステムによれば、後処理テープは平坦な形状を維持しやすいため、第２画像が確実に読み取られる。
【００１７】
かかるトイレトレーニングシステムであって、前記使い捨ておむつは、吸収性コア、及び、弾性部材を備え、前記第２画像は、前記使い捨ておむつの厚さ方向において、前記吸収性コアと重複し、かつ、前記弾性部材の伸縮部と重複しない領域に付されていることを特徴とするトイレトレーニングシステムである。
【００１８】
このようなトイレトレーニングシステムによれば、平坦な形状が維持されやすい領域に第２画像が付され、第２画像が確実に読み取られる。
【００１９】
かかるトイレトレーニングシステムであって、同一パッケージに収容された複数の前記使い捨ておむつにおいて、前記第１画像、及び、前記第２画像の少なくとも一方が異なり、前記制御部は、前記読み取り部が異なる前記第１画像及び前記第２画像の組み合わせを読み取ったことを認識した場合には、異なる種類の前記第２トイレトレーニング情報を、前記出力部に出力させ、前記読み取り部が異なる前記第１画像を読み取ったことを認識した場合には、異なる種類の前記第１トイレトレーニング情報を、前記出力部に出力させることを特徴とするトイレトレーニングシステムである。
【００２０】
このようなトイレトレーニングシステムによれば、乳幼児の飽きを防止でき、トイレトレーニングを継続できる。
【００２１】
かかるトイレトレーニングシステムであって、前記制御部は、前記読み取り部が、前記使い捨ておむつに貼られた状態の前記シール部材の前記第１画像とともに、前記第２画像を読み取ったことを認識した場合には、前記第２トイレトレーニング情報として、乳幼児にトイレトレーニングを行うことを促す情報を、前記出力部に出力させ、前記読み取り部が、前記使い捨ておむつから分離された状態の前記シール部材の前記第１画像を単独で読み取ったことを認識した場合には、前記第１トイレトレーニング情報として、乳幼児をトイレへ誘導する情報を、前記出力部に出力させることを特徴とするトイレトレーニングシステムである。
【００２２】
このようなトイレトレーニングシステムによれば、着用前のおむつに端末をかざして情報を出力することで、乳幼児に端末の画面を見せながら、トイレトレーニングを行うことを促せる。おむつから分離されたシール部材に端末をかざして情報を出力することで、おむつを着用している乳幼児に、端末の画面を見せながら、トイレでの排泄等を誘導できる。
【００２３】
前記乳幼児をトイレへ誘導する情報は、少なくとも音情報を有することを特徴とするトイレトレーニングシステム。
【００２４】
このようなトイレトレーニングシステムによれば、保護者は端末を手放すことができ、乳幼児の排泄を補助できる。
【００２５】
かかるトイレトレーニングシステムであって、前記端末は、記憶部、及び、前記端末の位置情報取得部を備え、前記制御部は、前記読み取り部が前記第１画像を単独で読み取ったこと、及び、前記位置情報取得部からの情報に基づき、前記端末がトイレ内に位置することを認識した場合には、乳幼児をトイレへ誘導した回数を累積し、前記回数を前記記憶部に記憶させ、前記出力部は、前記回数を出力可能であることを特徴とするトイレトレーニングシステムである。
【００２６】
このようなトイレトレーニングシステムによれば、保護者等は、トイレトレーニングの進捗を把握でき、達成感が得られやすい。また、制御部が自動で累積するため、操作者の手間を軽減できる。また、端末がトイレに位置する条件に基づき、より正確な誘導回数が出力される。
【００２７】
かかるトイレトレーニングシステムであって、第３画像が付されたトイレトレーニング用の台紙を備え、前記制御部は、前記読み取り部が、前記台紙の所定の位置に貼られた状態の前記シール部材の前記第１画像とともに、前記第３画像を読み取ったことを認識した場合には、乳幼児にトイレトレーニングを継続させるように応援する情報、及び、トイレトレーニングを行った乳幼児を褒める情報の少なくとも一方を、前記出力部に出力させることを特徴とするトイレトレーニングシステムである。
【００２８】
このようなトイレトレーニングシステムによれば、台紙の図柄を利用して、異なるトイレトレーニング情報を出力できる。
【００２９】
かかるトイレトレーニングシステムであって、トイレトレーニング用の台紙を備え、前記第２画像は、前記台紙に付されていることを特徴とするトイレトレーニングシステムである。
【００３０】
このようなトイレトレーニングシステムによれば、台紙の図柄を利用して、異なるトイレトレーニング情報を出力できる。
【００３１】
かかるトイレトレーニングシステムであって、前記制御部は、前記読み取り部が、前記第１画像を単独で読み取ったことを認識した場合には、前記第１トイレトレーニング情報として、乳幼児にトイレトレーニングを行うことを促す情報を、前記出力部に出力させ、前記読み取り部が、前記台紙の所定の位置に貼られた状態の前記シール部材の前記第１画像とともに、前記第２画像を読み取ったことを認識した場合には、前記第２トイレトレーニング情報として、乳幼児をトイレへ誘導する情報を、前記出力部に出力させることを特徴とするトイレトレーニングシステム。である
【００３２】
このようなトイレトレーニングシステムによれば、おむつから分離されて台紙に貼られたシール部材に端末をかざして情報を出力するため、おむつを着用している乳幼児に、端末の画面を見せながら、トイレでの排泄等を誘導できる。
【００３３】
かかるトイレトレーニングシステムであって、前記端末は、記憶部を備え、前記制御部は、前記読み取り部が、前記台紙の所定の位置に貼られた状態の前記シール部材の前記第１画像を読み取ったことを認識した場合には、前記シール部材の数を累積し、前記数を前記記憶部に記憶させ、前記出力部は、前記数を出力可能であることを特徴とするトイレトレーニングシステム。
【００３４】
このようなトイレトレーニングシステムによれば、保護者等は、トイレトレーニングの進捗を把握でき、達成感が得られやすい。また、台紙が交換されてしまっても、シール部材の数を累積できる。また、制御部が自動で累積するため、操作者の手間を軽減できる。
【００３５】
かかるトイレトレーニングシステムであって、前記制御部は、前記記憶部が記憶する前記シール部材の前記数に応じたトイレトレーニング情報を、前記出力部に出力させることを特徴とするトイレトレーニングシステムである。
【００３６】
このようなトイレトレーニングシステムによれば、乳幼児の飽きを防止でき、トイレトレーニングを継続できる。また、シール部材の数の増加に伴い、ステップアップしたトイレトレーニング情報を出力できる。
【００３７】
かかるトイレトレーニングシステムであって、同一パッケージに収容された複数の前記使い捨ておむつは互いに異なる図柄を有し、前記端末は、記憶部、及び、日時情報取得部を備え、前記制御部は、前記読み取り部が前記使い捨ておむつを撮影した画像データを取得し、かつ、撮影した日時情報を前記日時情報取得部から取得すると、前記画像データにおける前記使い捨ておむつの図柄、及び、前記日時情報の少なくとも一方に基づき、乳幼児が前記使い捨ておむつを使用した枚数を累積し、前記枚数を記憶部に記憶させ、前記出力部は、前記枚数を出力可能であることを特徴とするトイレトレーニングシステムである。
【００３８】
このようなトイレトレーニングシステムによれば、保護者等は、トイレトレーニングの進捗を把握でき、達成感が得られやすい。また、同一のおむつが複数回撮影された場合に、おむつの使用枚数が累積されないようすることができる。また、おむつを撮影する、おむつと一緒に撮影してもらうといった乳幼児にとって楽しい行為によって累積されるため、トイレトレーニングの継続に繋がる。
【００３９】
また、読み取り部、出力部、及び、制御部を備え、前記読み取り部は、使い捨ておむつに分離可能に設けられたシール部材に付された第１画像を読み取り可能である、端末の前記制御部に、前記読み取り部が前記第１画像を単独で読み取ったことを認識した場合には、第１トイレトレーニング情報を前記出力部に出力させる機能と、前記読み取り部が前記第１画像とともに第２画像を読み取ったことを認識した場合には、前記第１トイレトレーニング情報とは異なる第２トイレトレーニング情報を前記出力部に出力させる機能と、を実現させるためのトイレトレーニング用プログラムである。
【００４０】
また、読み取り部、出力部、及び、制御部を備えた端末を利用したトイレトレーニング方法であって、前記読み取り部は、使い捨ておむつに分離可能に設けられたシール部材に付された第１画像を、読み取り可能であり、前記制御部は、前記読み取り部が前記第１画像を単独で読み取ったことを認識した場合には、第１トイレトレーニング情報を前記出力部に出力させるステップと、前記制御部は、前記読み取り部が前記第１画像とともに第２画像を読み取ったことを認識した場合には、前記第１トイレトレーニング情報とは異なる第２トイレトレーニング情報を前記出力部に出力させるステップと、を有することを特徴とするトイレトレーニング方法である。
【００４１】
また、読み取り部、出力部、及び、制御部を備えたトイレトレーニング用端末であって、前記読み取り部は、使い捨ておむつに分離可能に設けられたシール部材に付された第１画像を、読み取り可能であり、前記制御部は、前記読み取り部が前記第１画像を単独で読み取ったことを認識した場合には、第１トイレトレーニング情報を前記出力部に出力させ、前記読み取り部が前記第１画像とともに第２画像を読み取ったことを認識した場合には、前記第１トイレトレーニング情報とは異なる第２トイレトレーニング情報を前記出力部に出力させることを特徴とするトイレトレーニング用端末である。
【００４２】
このようなトイレトレーニング用プログラム、トイレトレーニング方法、トイレトレーニング用端末によれば、１つのシール部材によって、トイレトレーニングの状況に応じた異なる情報を端末から出力できる。よって、効率的にトイレトレーニングを進められる。また、端末から出力される視覚的、聴覚的な情報により、乳幼児は楽しみながらトイレトレーニングを行える。
【００４３】
＝＝＝実施形態＝＝＝
＜＜トイレトレーニングシステム＞＞
本実施形態のトイレトレーニングシステムは、保護者が所有している端末１（スマートフォンやタブレット端末等のコンピューター）を利用して、乳幼児のおむつ離れを補助するシステムであり、端末１と、使い捨ておむつ１０と、トイレトレーニング用の台紙２０とで構成される。
【００４４】
＜＜端末１＞＞
図１は、端末１の構成を示すブロック図である。端末１は、制御部２と、記憶部３と、入力部４と、出力部５と、読み取り部６と、位置情報取得部７と、日時情報取得部８とを備えている。
【００４５】
制御部２は、各部間のデータの受け渡しを行うとともに、端末１全体の制御を行うものであり、ＣＰＵ（Ｃｅｎｔｒａｌ  Ｐｒｏｃｅｓｓｉｎｇ  Ｕｎｉｔ）により構成される。
【００４６】
記憶部３には、トイレトレーニング用プログラムが記憶されている。制御部２は、トイレトレーニング用プログラムに従って、後述する各種処理を実行するように機能する。トイレトレーニング用プログラムがダウンロードされた端末１は、トイレトレーニング用端末に相当する。
【００４７】
なお、トイレトレーニング用プログラムは、コンピューターが読み取り可能な記録媒体（フレキシブルディスク、磁気テープ、ハードディスクドライブ、ＣＤ−ＲＯＭ、ＵＳＢメモリ等）に記録された状態で供給することも可能であり、インターネットを介してダウンロードすることも可能である。
【００４８】
入力部４は、端末１の操作者が入力するためものであり、タッチパネル等を例示できる。出力部５は、制御部２からの指令に基づく処理結果を出力するものであり、画面５ａや音再生部５ｂ（スピーカー）等を例示できる。読み取り部６は、撮影した画像データや、ＡＲマーカー等の所定の画像を読み取ったデータを、制御部２に供給するものであり、カメラ６ａ等を例示できる。
【００４９】
位置情報取得部７は、ＧＰＳ機能（Ｇｌｏｂａｌ  Ｐｏｓｉｔｉｏｎｉｎｇ  Ｓｙｓｔｅｍ）を用いる等して、端末１の現在の位置を取得し、その位置情報を制御部２に供給するものである。日時情報取得部８は、現在の日付や時刻を取得し、その日時情報を制御部２に供給するものである。
【００５０】
＜＜使い捨ておむつ１０＞＞
図２は、使い捨ておむつ１０の背面図である。図３Ａ及び図３Ｂは、後処理テープ１３及びシール部材３０の概略断面図である。本実施形態では、使い捨ておむつ１０として、パンツ型の使い捨ておむつを例示する。但しこれに限らず、例えばテープ型の使い捨ておむつやパッドタイプの使い捨ておむつ等でもよい。
【００５１】
パンツ型の使い捨ておむつ１０（以下、おむつ）は、排泄液を吸収保持する吸収性コア１１Ａを備える吸収性本体１１と、着用者の腹側部に当てられる腹側胴回り部（不図示）と、着用者の背側部に当てられる背側胴回り部１２とを有する。また、おむつ１０は、縦方向及び横方向を有するとともに、おむつ１０の構成部材が積層された厚さ方向を有する。厚さ方向において、着用者に接触する側を肌側といい、その反対側を非肌側という。
【００５２】
背側胴回り部１２は、図３Ａに示すように、吸収性本体１１よりも非肌側に配置されており、肌側シート１２１と、非肌側シート１２２と、両シート１２１，１２２の間に配置されたプリントシート１２３と、複数の胴回り弾性部材１２４とを有する。なお、腹側胴回り部も同様の構成である。
【００５３】
複数の胴回り弾性部材１２４は、肌側シート１２１と非肌側シート１２２の間において、縦方向に並んで配置されるとともに、横方向に伸縮可能に固定されている。なお、胴回り弾性部材１２４において伸縮性を発現する部位、すなわち胴回り弾性部材１２４が伸長状態でシートに固定された部位を伸縮部という。図面には伸縮部のみを示す。
【００５４】
プリントシート１２３の非肌側面には、図柄や文字等の画像４４が印刷されている。プリントシート１２３の画像４４は、非肌側シート１２２を介して、おむつ１０の外側（非肌側）から視認可能とする。
【００５５】
また、おむつ１０は、おむつ１０の廃棄時に利用される後処理テープ１３を備える。後処理テープ１３は、図３Ａに示すように、テープ本体１３１と、テープ把持部１３２と、固定部１３３と、複数のテープ接着部１３４とを有する。
【００５６】
テープ本体１３１は、おむつ１０の縦方向に長い長方形状の部材であり、長手方向にＺ字状に折り畳まれている。テープ本体１３１は、折り畳まれた状態で、背側胴回り部１２の非肌側面に固定部１３３（接着剤等）によって剥離不能に固定されている。折り畳まれたテープ本体１３１の各層の間には、剥離可能であり再接着可能なテープ接着部１３４が設けられ、折り畳み状態が保たれている。
【００５７】
テープ把持部１３２は、テープ本体１３１の長手方向の一端部に設けられている。テープ把持部１３２の肌側面には、テープ接着部１３４が設けられていない。そのため、ユーザーは、テープ把持部１３２を把持して、テープ本体１３１を引っ張ることができる。そうすると、テープ本体１３１の折り畳み状態が解除される。よって、廃棄のためにおむつ１０を丸めた後、おむつ１０に後処理テープ１３を巻き付けて固定できる。
【００５８】
また、おむつ１０は、おむつ１０から分離可能なシール部材３０を備える。シール部材３０は、矩形形状のシール本体３１と、シール把持部３２と、シール接着部３３とを有する。シール部材３０は、後処理テープ１３に貼られている。詳しくは、シール部材３０は、後処理テープ１３のテープ把持部１３２よりも上方のテープ本体１３１にシール接着部３３によって接着されている。
【００５９】
シール把持部３２は、シール本体３１の長手方向の一端部に設けられている。シール把持部３２の肌側面にシール接着部３３は設けられていない。そのため、ユーザーは、シール把持部３２を把持して、後処理テープ１３からシール部材３０を分離できる。
【００６０】
以上のように、シール部材３０は、後処理テープ１３に貼られていることが好ましい。そうすることで、おむつ１０におけるシール部材３０の位置がユーザーに認識されやすく、シール部材３０が目的の用途に利用されやすい。なお、図示しないが、シール部材３０に、例えば「ご褒美シール」等の文字を印刷してもよい。
【００６１】
また、一般に、後処理テープ１３のテープ本体１３１は、ポリエチレンやポリプロピレン等の樹脂素材で形成されている（シール部材３０も同様）。そのため、後処理テープ１３をシール部材４０の剥離紙として機能させることができる。つまり、おむつ１０からシール部材３０を容易に分離でき、かつ、シール部材３０の接着力が維持される。シール部材３０は、おむつ１０から分離された後、台紙２０等に貼られるため、おむつ１０から分離された後に再接着可能であることが好ましい。ただし上記に限らず、シール部材３は、おむつ１０の何れかの部位に分離可能に設けられていればよい。
【００６２】
＜＜台紙２０＞＞
図４Ａから図４Ｃは、台紙２０の説明図である。台紙２０は、おむつ１０から分離されたシール部材３０を貼り付けることのできる媒体（例えば用紙や樹脂シート）である。台紙２０には、複数のシール付与部２１が印刷されている。
【００６３】
シール付与部２１は、シール部材３０を台紙２０に貼るスペースである。図４Ｂに示すように、シール付与部２１には、シール部材３０の外形線と同じ形状及び同じ大きさである誘導線２１ａが印刷されているとよい。これにより、ユーザーは、図４Ｃに示すように、シール部材３０を台紙２０の所定の位置に貼ることができる。
【００６４】
さらに、シール付与部２１に、「シール貼ってね」等、ユーザーがシール部材３０を台紙２０に貼るように誘導する情報が印刷されているとよい。また、複数のシール付与部２１に順に数字２１ｃを印刷してもよい。そうすることで、トイレトレーニングの進捗やゴールまでの回数が視覚的に解りやすくなる。
【００６５】
台紙２０の提供方法としては、例えば、台紙２０のデータを、インターネットを介してダウンロード可能にし、各家庭で印刷してもらう方法や、おむつ１０の販売店等で台紙１を配布する方法や、おむつ１０のパッケージに台紙２０を封入する方法や、パッケージの一部に台紙２０を印刷し、パッケージの台紙２０の部分を切り取ってもらう方法等を例示できる。
【００６６】
＜＜ＡＲマーカー＞＞
図５は、ＡＲマーカーとトイレトレーニング情報が対応付けられたテーブル９の説明図である。本実施形態のトイレトレーニングシステムでは、ＡＲ技術（Ａｕｇｍｅｎｔｅｄ  Ｒｅａｌｉｔｙ：拡張現実）を利用する。そのために、おむつ１０や台紙２０には、端末１により読み取り可能なＡＲマーカーが付されている。
【００６７】
具体的には、図２に示すように、おむつ１０が備えるシール部材３０に第１ＡＲマーカー４１（第１画像、ここでは猫の図柄）が付されている。また、おむつ１０が備える後処理テープ１３に第２ＡＲマーカー４２（第２画像、ここでは星の図柄）が付されている。また、台紙２０のシール付与部２１に第３ＡＲマーカー４３（第３画像、ここではハートの図柄）が付されている。
【００６８】
トイレトレーニング用プログラムが端末１にダウンロードされると、図５のテーブル９が記憶部３に記憶される。そして、トイレトレーニング用プログラムを起動させた端末１の撮影モードにおいて、端末１の読み取り部６（カメラ６ａ）は、ＡＲマーカー４１〜４３を読み取ると、ＡＲマーカー４１〜４３を読み取ったデータを制御部２に供給する。
【００６９】
そうすると、制御部２は、テーブル９を参照し、読み取られたＡＲマーカー４１〜４３に対応付けられたトイレトレーニング情報を取得する。トイレトレーニング情報は、動画、静止画、文字情報、音声、音楽等、乳幼児が視覚や聴覚によって認識可能な情報である。そして、制御部２は、カメラ６ａが撮影している現実の映像に、取得したトイレトレーニング情報を重ねて、出力部５に出力させる。すなわち、制御部２は、画面５ａに画像を表示させたり、音再生部５ｂから音情報を再生させたりする。
【００７０】
おむつ１０のテープ部材３０及び後処理テープ１３は、平坦な部材である。また、テープ部材３０及び後処理テープ１３は、おむつ１０を構成するシート（例えば図３Ａの肌側シート１２１等）に比べて剛性が高く、おむつ１０が備える弾性部材（例えば図３Ａの胴回り弾性部材１２４）の収縮の影響を受けにくい。よって、テープ部材３０及び後処理テープ１３は、おむつ１０の自然状態においても皺が生じにくく、平坦な形状が維持されやすい。
【００７１】
そのため、第１ＡＲマーカー４１はテープ部材３０に付され、第２ＡＲマーカー４２は後処理テープ１３に付されているとよい。そうすることで、端末１の読み取り部６は第１ＡＲマーカー４１及び第２ＡＲマーカー４２を確実に読み取ることができる。
【００７２】
ただし、後処理テープ１３に第２ＡＲマーカー４２を付すに限らず、おむつ１０の何れの部位に第２ＡＲマーカー４２を付してもよい。また、後処理テープ１３の図柄と、それ以外のおむつ１０の部位の図柄とを組み合わせて、第２ＡＲマーカー（第２画像）としてもよい。
【００７３】
その場合、おむつ１０の厚さ方向において、吸収性コア１１Ａと重複し、かつ、弾性部材の伸縮部と重複しない領域に、第２ＡＲマーカーを付すとよい。例えば、図２に示す背側胴回り部１２に印刷された花の図柄４４を、第２ＡＲマーカーにするとよい。
【００７４】
吸収性コア１１Ａと重複する領域は、剛性が高く、平坦な形状が維持されやすい。さらに、弾性部材の伸縮部と重複しない領域は、おむつ１０の自然状態においても皺が生じにくく、平坦な形状が維持されやすい。そのため、上記の領域に第２ＡＲマーカーを付すことで、端末１の読み取り部６は第２ＡＲマーカーを確実に読み取ることができる。なお、弾性部材には、胴回り弾性部材１２４の他、着用者の脚回りに沿う脚回り弾性部材も含まれる。
【００７５】
＜＜トイレトレーニング方法＞＞
図６は、トイレトレーニング方法のフロー図である。トイレトレーニングを行う乳幼児の保護者は、トイレトレーニング用プログラム（以下、プログラム）を起動させた端末１、及び、着用前の使い捨ておむつ１０を準備する（Ｓ１０）。端末１の制御部２は、プログラムに従って、以下の処理を実行する。
【００７６】
〔１：おむつ１０の着用前〕
図７Ａ及び図７Ｂは、第１ＡＲマーカー４１及び第２ＡＲマーカー４２を読み取った端末１の画面５ａの図である。まず、端末１の操作者（保護者や乳幼児）は、プログラムのメニュー画面（不図示）から撮影モードを選択する。端末１の制御部２は、端末１のカメラ６ａによって撮影された画像を、画面５ａに表示させる。
【００７７】
図７Ａに示すように、操作者がおむつ１０の背面に端末１のカメラ６ａをかざすことで、シール部材３０に付された第１ＡＲマーカー４１、及び、後処理テープ１３に付された第２ＡＲマーカー４２がカメラ６ａ（読み取り部６）によって同時に読み取られる。
【００７８】
そうすると、端末１の制御部２は、第１ＡＲマーカー４１及び第２ＡＲマーカー４２の読み取りデータを読み取り部６から取得する（Ｓ１１）。つまり、制御部２は、読み取り部６が、おむつ１０に貼られた状態のシール部材３０の第１ＡＲマーカー４１とともに、後処理テープ１３の第２ＡＲマーカー４２を読み取ったことを認識する。
【００７９】
そうすると、制御部２は、テーブル９（図５）を参照し、第１ＡＲマーカー４１及び第２ＡＲマーカー４２の組み合わせに対応付けられているトイレトレーニング情報（第２トイレトレーニング情報）を、カメラ６ａが撮影している現実の映像（おむつ１０）に重ねて、出力部５に出力させる（Ｓ１２）。
【００８０】
ここでは「乳幼児にトイレトレーニングを行うことを促す情報」が出力される。例えば、図７Ｂに示すように、シール部材３０に付されたキャラクター（猫）が、乳幼児を呼び掛けたり、拳を上げたりする動作をしている動画６２を、画面５ａに表示するとよい。また、「いっしょにがんばろうね」等の声掛けを、文字情報６１として画面５ａに表示したり、音情報として音再生部５ｂから再生したりしてもよい。また、プログラムにおいて乳幼児の名前が登録されている場合には、キャラクターが乳幼児を呼びかけるようにしてもよい。
【００８１】
これにより、乳幼児にトイレトレーニングを行うことを促すことができ、トイレトレーニングを前進させることができる。また、着用前のおむつ１０に端末１のカメラ６ａをかざし、トイレトレーニングを行うことを促す情報を出力することで、乳幼児が端末１の画面５ａで情報を見ることができる。そして、保護者は、おむつ１０に排泄するのではなく、トイレで排泄することを、乳幼児に言い聞かせながら、乳幼児１０におむつ１０を着用させることができる。
【００８２】
〔２：おむつ１０の使用枚数の記録〕
図８Ａは、おむつ１０を撮影した画像データを示す端末１の画面５ａの図であり、図８Ｂは、おむつ１０の使用枚数を示す端末１の画面５ａの図である。プログラムでは、端末１の操作者がおむつ１０を撮影することで、おむつ１０の使用枚数が自動で記録されるものとする。
【００８３】
具体的には、操作者が、プログラムの撮影モードが選択されている端末１のカメラ６ａをおむつ１０に向けて、シャッターボタンをタップする。なお、おむつ１０を単独で撮影するに限らず、おむつ１０を持った乳幼児を撮影してもよいし、おむつ１０を着用した乳幼児を撮影してもよい。
【００８４】
そうすると、制御部２は、読み取り部６からおむつ１０を撮影した画像データを取得する。制御部２は、保存された画像データのみを取得してもよいし、撮影された全画像データを取得してもよい。
【００８５】
それとともに、制御部２は、日時情報取得部８から、画像データを撮影した日時情報（日付や時刻）も取得する。その後、制御部２は、乳幼児がおむつ１０を使用した枚数を累積し、その枚数を記憶部３に記憶させる（Ｓ１３）。
【００８６】
ただし、同一のおむつ１０が複数回連続して撮影（かつ保存）される場合がある。そこで、制御部２は、単に取得した画像データの数分だけおむつ１０の枚数を累積するのではなく、画像データにおけるおむつ１０の図柄（例えば図８Ａの猫の図柄１４）と、画像データが撮影された日時情報の少なくとも一方に基づき、おむつ１０の枚数を累積する。
【００８７】
ここで、おむつ１０は、同一パッケージに複数収容された状態で流通し、同一パッケージに収容された複数のおむつ１０は互いに異なる図柄１４を有するとする。例えば、同一パッケージ内に、図８Ａに示す猫の図柄１４のおむつ１０の他に、犬やうさぎの図柄のおむつ１０が収容されているとする。パッケージ内の複数枚毎のおむつ１０の図柄が異なっていてもよいし、パッケージ内の全てのおむつ１０の図柄が異なっていてもよい。
【００８８】
制御部２は、具体的には、下記の２つの処理の一方、又は、両方を行うものとする。１つ目の処理は、制御部２が、先に取得した画像データにおける、おむつ１０の図柄１４と、次に取得した画像データにおける、おむつ１０の図柄１４とを、比較する処理である。制御部２は、おむつ１０の図柄が同じと判定した場合には、同一のおむつ１０が複数回撮影されたと判断し、おむつ１０の使用枚数を累積しない。逆に、制御部２は、おむつ１０の図柄が異なると判定した場合には、異なるおむつ１０が撮影されたと判断し、おむつ１０の使用枚数を累積する。
【００８９】
２つ目の処理は、制御部２が、先に取得した画像データの撮影時間と、次に取得した画像データの撮影時間とを、比較する処理である。制御部２は、撮影時間の間隔が閾値未満（例えば１０分未満）である場合には、同一のおむつ１０が複数回撮影されたと判定し、おむつ１０の使用枚数を累積しない。逆に、制御部２は、撮影時間の間隔が閾値以上（例えば１０分以上）である場合には、異なるおむつ１０が撮影されたと判定し、おむつ１０の使用枚数を累積する。
【００９０】
これにより、同一のおむつ１０が複数回連続して撮影（かつ保存）された場合には、おむつ１０の使用枚数が累積されない。そのため、より正確なおむつ１０の使用枚数が記録される。
【００９１】
なお、制御部２は、おむつ１０を撮影した日時情報に基づき、累積単位毎（例えば１日毎や１週間毎）に、おむつ１０の使用枚数を累積するとよい。累積単位は、プログラムで固定してもよいし、操作者によって選択可能にしてもよい。
【００９２】
そして、端末１の出力部５は、記憶部３に記憶されているおむつ１０の使用枚数を出力可能とする。制御部２は、端末１の操作者からの要求に応じて出力部５に出力させてもよいし、所定のタイミングで自動的に出力部５に出力させてもよい。
【００９３】
例えば、操作者がプログラムのメニュー画面から記録モードを選択し、おむつ１０の使用枚数の表示を選択することで、制御部２は、図８Ｂに示すような、おむつ１０の使用枚数のグラフ６４を画面５ａに表示させるとよい。日付と使用枚数とが対応付けられたグラフや表（不図示）により、累積単位毎の使用枚数の変化が分かる。
【００９４】
その他、制御部２は、図８Ａに示すように、おむつ１０を撮影した画像データを取得した後に、おむつ１０の使用枚数の文字情報６３を自動で画面５ａに表示させてもよい。これにより現在の使用枚数が分かる。このような表示方法は、プログラムで固定してもよいし、操作者によって選択可能にしてもよい。
【００９５】
トイレで排泄できる回数が増えると、おむつ１０の使用枚数が減る。そのため、保護者や乳幼児は、おむつ１０の使用枚数に基づき、トイレトレーニングの進捗を把握でき、達成感が得られやすい。よって、トイレトレーニング継続へのモチベーションに繋がる。また、おむつ１０を撮影することで、おむつ１０の使用枚数が自動で累積されて記録されるため、操作者の手間を軽減できる。
【００９６】
また、上記の処理に限らず、第１ＡＲマーカー４１及び第２ＡＲマーカー４２が読み取られた場合に、おむつ１０の使用枚数が累積されるようにしてもよい。だしし、上記の処理によれば、より正確なおむつ１０の使用枚数が記録される。また、おむつ１０の写真を撮ったり、自分の写真を撮ってもらったりといった、乳幼児にとって楽しい行為で、おむつ１０の使用枚数が記録される。そのため、乳幼児のトイレトレーニング継続へのモチベーションにも繋がる。
【００９７】
なお、おむつ１０の使用枚数の記録機能は、プログラムにおいて固定して実施してもよいし、操作者が実施（オン）又は不実施（オフ）を選択可能にしてもよい。
【００９８】
〔３：シール部材の分離〕
図９は、便器５０に貼られたシール部材３０の説明図である。次に、保護者又は乳幼児は、おむつ１０からシール部材３０を分離し、分離したシール部材３０をトイレ内に貼り付ける。例えば、シール部材３０を、図８に示すように便器５０の蓋に貼り付けたり、トイレの壁面に貼り付けたりするとよい。
【００９９】
〔４：おむつ１０着用中〕
図１０Ａ及び図１０Ｂは、第１ＡＲマーカー４１を読み取った端末１の画面５ａの図である。保護者は、乳幼児をトイレへ誘導したいタイミングにおいて、端末１のプログラムを起動させ、撮影モードを選択する。そして、保護者が、トイレ内に貼られているシール部材３０に端末１のカメラ６ａをかざすことで、シール部材３０に付された第１ＡＲマーカー４１がカメラ６ａ（読み取り部６）によって読み取られる。
【０１００】
そうすると、端末１の制御部２は、第１ＡＲマーカー４１の読み取りデータを読み取り部６から取得する（Ｓ１４）。つまり、制御部２は、読み取り部６が、おむつ１０から分離された状態のシール部材３０の第１ＡＲマーカー４１を単独で読み取ったことを認識する。
【０１０１】
そうすると、制御部２は、テーブル９（図５）を参照し、第１ＡＲマーカー４１に対応付けられているトイレトレーニング情報（第１トイレトレーニング情報）を、カメラ６ａが撮影している現実の映像（便器５０）に重ねて、出力部５に出力させる（Ｓ１５）。
【０１０２】
ここでは「乳幼児をトイレへ誘導する情報」が出力される。乳幼児をトイレへ誘導する情報とは、乳幼児がトイレに行くことを促す情報（例えば「トイレにおいでよ」）と、トイレ（便器５０）に座ることを促す情報（例えば「トイレに座ってみよう」）と、トイレでの排泄を促す情報（例えば「おしっこでるかな」）の何れか１つでもよいし、複数の組み合わせで順に変化するようにしてもよい。
【０１０３】
具体的には、図１０Ｂに示すように、シール部材３０に付されたキャラクター（猫）が、トイレに座ったり、トイレを覗いたりする動画６６を、画面５ａに表示するとよい。また、「トイレにすわってみよう」等の声掛けを、文字情報６５として画面５ａに表示したり、音情報として音再生部５ｂから再生したりしてもよい。
【０１０４】
これにより、乳幼児をトイレへ誘導し、トイレでの排泄を促すことができ、トイレトレーニングを前進させることができる。また、シール部材３０の第１ＡＲマーカー４１単独で、トイレへ誘導する情報が対応付けられているため、端末１のカメラ６ａを、シール部材３０のみにかざせばよく、おむつ１０にかざす必要がない。よって、おむつ１０を着用している乳幼児も、端末１の画面５ａで、トイレへ誘導する情報を見ることができる。
【０１０５】
特に、乳幼児をトイレへ誘導する情報は、音情報を有することが好ましい。音情報が出力される場合、乳幼児に端末１の画面５ａを見せなくても、乳幼児に情報を伝達できる。
【０１０６】
そのため、乳幼児がトイレから離れた場所にいる場合にも、保護者が端末１をトイレに持ち込み、トイレから音情報を出力することで、音のするトイレの方へ乳幼児を誘導しやすい。よって、シール部材３０は、トイレ内に貼り付けられることが好ましい。ただし、これに限らず、乳幼児が遊んでいる部屋の壁等にシール部材３０を貼り付けてもよい。
【０１０７】
また、音情報を出力している間、保護者は端末１を手放すことができる。よって、保護者は、乳幼児がズボンやおむつ１０を脱ぐのを手伝ったり、乳幼児をトイレに座らせたり、支えたりすることができる。
【０１０８】
また、乳幼児をトイレへ誘導する音情報（音楽、呼び掛け声、チャイム音等）を一定にしてもよい。そうすることで、条件反射的にトイレの時間であることを乳幼児に認識させることができ、乳幼児をトイレへ誘導しやすくなる。
【０１０９】
〔５：トイレへ誘導した回数の記録〕
図１１は、乳幼児をトイレへ誘導した回数を示す端末１の画面５ａの図である。プログラムでは、ユーザーの自宅のトイレの位置情報を登録可能とする。具体的には、操作者が、自宅のトイレにおいて、端末１のプログラムを起動させて、プログラムの設定モードからトイレの位置情報を登録する。この時、制御部２は、位置情報取得部７から現在の位置情報を取得し、取得した位置情報をトイレの位置として記憶部３に記憶させる。
【０１１０】
トイレの位置情報が登録されている場合、制御部２は以下の処理を実行できる。制御部２は、読み取り部６がシール部材３０の第１ＡＲマーカー４１を単独で読み取ったことを認識すると、位置情報取得部７から端末１の現在の位置情報を取得する。そして、制御部２は、端末１がトイレ内に位置することを認識した場合、乳幼児をトイレへ誘導した回数を累積し、その回数を記憶部３に記憶させる（Ｓ１６）。
【０１１１】
なお、制御部２は、トイレへ誘導した回数を累積する際に、日時情報取得部８から日時情報を取得し、累積単位毎（例えば１日毎や１週間毎）に、トイレへ誘導した回数を累積するとよい。累積単位は、プログラムで固定してもよいし、操作者によって選択可能にしてもよい。
【０１１２】
端末１の出力部５は、記憶部３が記憶しているトイレへ誘導した回数の情報を、出力可能とする。制御部２は、端末１の操作者からの要求（入力）に応じて出力部５に出力させてもよいし、所定のタイミングで自動的に出力部５に出力させてもよい。
【０１１３】
例えば、操作者がプログラムのメニュー画面から記録モードを選択し、トイレへ誘導した回数の表示を選択することで、制御部２は、図１１に示すような、トイレへ誘導した回数のグラフ６９を画面５ａに表示させるとよい。日付と誘導回数とが対応付けられたグラフや表（不図示）により、累積単位毎の誘導回数の変化が分かる。
【０１１４】
その他、制御部２は、図１０Ｂに示すように、第１ＡＲマーカー４１が読み取られた際に出力させるトイレトレーニング情報６５〜６７とともに、トイレへ誘導した回数の文字情報６８を自動で画面５ａに表示させてもよい。これにより現在までに誘導した回数が分かる。このような表示方法は、プログラムで固定してもよいし、操作者によって選択可能にしてもよい。
【０１１５】
乳幼児をトイレへ誘導した回数は、乳幼児がトイレに行った大よその回数に相当する。そのため、保護者や乳幼児は、トイレへ誘導した回数に基づき、トイレトレーニングの進捗を把握でき、達成感が得られやすい。よって、トイレトレーニング継続へのモチベーションに繋がる。また、第１ＡＲマーカー４１が端末１に読み取られることで、トイレへ誘導した回数が自動で累積されて記録されるため、操作者の手間を軽減できる。
【０１１６】
また、上記の処理に限らず、第１ＡＲマーカー４１が端末１で読み取られた全ての場合に、トイレへ誘導した回数が累積されるようにしてもよい。ただし、その場合、例えば乳幼児がシール部材３０を遊びで利用している際に、第１ＡＲマーカー４１が端末１に誤って読み取られた場合にも累積されてしまう。そのため、上記の処理のように、端末１がトイレに位置する条件も加えて、トイレへ誘導した回数が累積されるようにすることで、より正確な誘導回数が記録される。
【０１１７】
なお、トイレへ誘導した回数の記録機能は、プログラムにおいて固定して実施してもよいし、操作者が実施（オン）又は不実施（オフ）を選択可能にしてもよい。
【０１１８】
〔６：トイレトレーニング成功後〕
図１２Ａ及び図１２Ｂは、第１ＡＲマーカー４１及び第３ＡＲマーカー４３を読み取った端末１の画面５ａの図である。乳幼児がトイレに座ったり、トイレで排泄できたりと、トイレトレーニングに成功した場合、乳幼児又は保護者は、トイレ内に貼られているシール部材３０を、台紙２０のシール付与部２１に貼る。
【０１１９】
そして、図１２Ａに示すように、端末１の操作者が、端末１のカメラ６ａをシール部材３０が貼られた台紙２０の部分にかざすことで、シール部材３０の第１ＡＲマーカー４１、及び、台紙２０の第３ＡＲマーカー４３がカメラ６ａ（読み取り部６）によって同時に読み取られる。
【０１２０】
そうすると、端末１の制御部２は、第１ＡＲマーカー４１及び第３ＡＲマーカー４３の読み取りデータを読み取り部６から取得する（Ｓ１７）。つまり、制御部２は、読み取り部６が、台紙２０の所定の位置に貼られた状態のシール部材３０の第１ＡＲマーカー４１とともに、台紙２０の第３ＡＲマーカー４３を読み取ったことを認識する。
【０１２１】
そうすると、制御部２は、テーブル９（図５）を参照し、第１ＡＲマーカー４１及び第３ＡＲマーカー４３の組み合わせに対応付けられているトイレトレーニング情報を、カメラ６ａが撮影している現実の映像（台紙２０）に重ねて、出力部５に出力させる（Ｓ１８）。
【０１２２】
ここでは、乳幼児にトイレトレーニングを継続させるように応援する情報（例えば「この調子でがんばろう」）と、トイレトレーニングを行った乳幼児を褒める情報（例えば「トイレに座れて、すごい」）の少なくとも一方とする。
【０１２３】
具体的には、図１２Ｂに示すように、シール部材３０に付されたキャラクター（猫）が、両手を広げたり、ジャンプしたりする動画７１を、画面５ａに表示するとよい。また、「やったね、おめでとう」等の声掛けを、文字情報７０として画面５ａに表示したり、音情報として音再生部５ｂから再生したりしてもよい。
【０１２４】
これにより、トイレトレーニングを成功させた乳幼児を褒め、乳幼児にトイレトレーニングの継続を促すことができ、トイレトレーニングを前進させることができる。
【０１２５】
〔７：シール部材３０の数の記録〕
図１３は、シール部材３０の数を示す端末１の画面５ａの図である。制御部２は、読み取り部６が、台紙２０の所定の位置に貼られた状態のシール部材３０の第１ＡＲマーカー４１を、台紙２０の第３ＡＲマーカー４３とともに読み取ったことを認識すると、シール部材３０の数を累積し、その数を記憶部３に記憶させる（Ｓ１９）。
【０１２６】
なお、制御部２は、シール部材３０の数を累積する際に、日時情報取得部８から日時情報を取得し、累積単位毎に、シール部材３０の数を累積するとよい。例えば、累積単位を連続にして、シール部材３０の数をリセットしない場合には、端末１にプログラムをダウンロードした時からのシール部材３０の数が分かる。また、累積単位を１カ月にすると、１カ月間に台紙２０に貼ることのできたシール部材３０の数が分かる。累積単位は、プログラムで固定してもよいし、操作者によって選択可能にしてもよい。
【０１２７】
端末１の出力部５は、記憶部３が記憶しているシール部材３０の数の情報を出力可能とする。制御部２は、端末１の操作者からの要求（入力）に応じて出力部５に出力させてもよいし、所定のタイミングで自動的に出力部５に出力させてもよい。
【０１２８】
例えば、操作者が、プログラムのメニュー画面から記録モードを選択し、シール部材３０の数の表示を選択することで、制御部２は、図１２に示すような、シール部材３０の数を示す多数のマス目７２を画面５ａに表示させるとよい。図１２では、読み取られたシール部材３０の数のマス目に、シール部材３０のキャラクター（猫）が表示されている。
【０１２９】
その他、制御部２は、図１２Ｂに示すように、第１ＡＲマーカー４１及び第３ＡＲマーカー４３が読み取られた際に出力させるトイレトレーニング情報７０〜７１とともに、シール部材３０の数の文字情報７２を自動で画面５ａに表示させてもよい。このような表示方法は、プログラムで固定してもよいし、操作者によって選択可能にしてもよい。
【０１３０】
台紙２０に貼り付け可能なシール部材３０の数には限りがある。例えば図４Ａの台紙２０は８個である。台紙２０の全てのシール付与部２１にシール部材３０が貼られると、台紙２０は交換されてしまう。
【０１３１】
そのため、端末１の記憶部３において、シール部材３０の累積数を記録しておくとよい。そうすることで、保護者や乳幼児は、トイレトレーニングの継続期間や進捗を把握でき、達成感が得られやすい。よって、トイレトレーニング継続へのモチベーションに繋がる。また、第１ＡＲマーカー４１及び第３ＡＲマーカー４３が端末１に読み取られることで、シール部材３０の数が自動で累積されて記録されるため、操作者の手間を軽減できる。
【０１３２】
また、乳幼児がトイレで排泄できた場合、乳幼児は、シール部材３０が分離されているおむつ１０を再び着用することになる。そのため、シール部材３０が台紙２０から剥がされ、再び便器の蓋等に貼られる場合がある。そうすることで、保護者は、再度、端末１に第１ＡＲマーカー４１を読み取らせ、乳幼児をトイレへ誘導する情報を端末１にて出力できる。そのため、制御部２は、シール部材３０の数を累積する際に、下記の２つの処理の一方を行うとよい。
【０１３３】
１つ目の処理では、制御部２は、第１ＡＲマーカー４１及び第３ＡＲマーカー４３の読み取りデータを取得すると、台紙２０のシール付与部２１の他の図柄２１ｃ（例えば図１２Ａの数字「３」）の画像データも取得する。そして、制御部２は、前回シール部材３０を累積した時のシール付与部２１の図柄（例えば数字「２」）と、今回取得したシール付与部２１の図柄（例えば数字「３」）とが異なる場合に、シール部材３０の数を累積する。
【０１３４】
この場合、同一のシール部材３０が重複して累積されてしまうことを防止できる。よって、制御部２が累積するシール部材３０の数は、実際のシール部材３０の数に相当する。
【０１３５】
２つ目の処理では、制御部２は、第１ＡＲマーカー４１及び第３ＡＲマーカー４３の読み取りデータを取得した回数分だけ、シール部材３０の数を累積する。
【０１３６】
この場合、同一のシール部材３０が重複して累積されることがある。よって、制御部２が累積するシール部材３０の数は、第１ＡＲマーカー４１とともに第３ＡＲマーカー４３が読み取られた回数、つまり、乳幼児がトイレトレーニングに成功した回数に相当する。
【０１３７】
さらに、制御部２は、記憶部３が記憶するシール部３０材の数に応じたトイレトレーニング情報を出力部５に出力させてもよい。
【０１３８】
そのために、ＡＲマーカー４１〜４３とトイレトレーニング情報が対応づけられたテーブル９（図５参照）において、同じＡＲマーカー４１〜４３であっても、シール部材３０の数に応じて異なる情報を対応付けるとよい。
【０１３９】
制御部２は、ＡＲマーカー４１〜４３の読み取りデータを取得すると、記憶部３からシール部材３０の数の情報を取得し、シール部材３０の数と閾値（Ｎ枚）とを比較する。制御部２は、シール部材３０の数が閾値未満である場合と、シール部材３０の数が閾値以上である場合とで、異なるトイレトレーニング情報を出力させる。
【０１４０】
シール部材３０の数が多いほど、トイレトレーニングの継続期間が長いことになる。そのため、シール部材３０の数の増加に伴って、ステップアップした情報を出力し、トイレトレーニングの継続期間に応じた段階的な情報を出力するとよい。
【０１４１】
例えば、シール部材３０の猫（第１ＡＲマーカー４１）が読み取られた場合、シール部材３０の数が閾値未満である場合には、「トイレに座ってみよう」等の情報を出力し、シール部材３０の数が閾値以上である場合には、「おしっこでるかな」等の情報を出力するようにするとよい。
【０１４２】
そうすることで、最初は、トイレに行くことや、トイレに座ることを乳幼児に促し、その後、トイレでの排泄や、自らトイレに行くことを乳幼児に促すことができ、トイレトレーニングを前進させることができる。また、トイレトレーニングの情報を変化させることで、乳幼児の飽きを防止でき、トイレトレーニングの継続に繋がる。
【０１４３】
なお、シール部材３０の数の記録機能は、プログラムにおいて固定して実施してもよいし、操作者が実施（オン）又は不実施（オフ）を選択可能にしてもよい。
【０１４４】
〔８：効果〕
以上のように、本実施形態のトイレトレーニングシステムでは、シール部材３０の第１ＡＲマーカー４１が、後処理テープ１３の第２ＡＲマーカー４２とともに読み取られた場合と、単独で読み取られた場合と、台紙２０の第３ＡＲマーカー４３とともに読み取られた場合とで、異なるトイレトレーニング情報が端末１から出力される。
【０１４５】
つまり、１つのシール部材３０によって、トイレトレーニングの状況に応じた情報が、トイレトレーニングの流れに沿って順に端末１から出力される。よって、効率的にトイレトレーニングを進めることができる。
【０１４６】
また、おむつ１０（後処理テープ１３）の図柄や台紙２０の図柄を、ＡＲマーカー４２，４３として利用し、異なるトイレトレーニング情報を出力する。そのため、おむつ１０（後処理テープ１３）や台紙２０のデザイン性が向上する。
【０１４７】
また、端末１から出力される視覚的、聴覚的な情報により、乳幼児は楽しみながらトイレトレーニングを行える。よって、トイレトレーニングに対するモチベーションが向上し、トイレトレーニングに対する抵抗感を軽減できる。
【０１４８】
また、乳幼児は、保護者と一緒に、おむつ１０からシール部材３０を分離したり、おむつ１０に端末１のカメラ６ａをかざしたりすることで、楽しい時間を過ごすことができ、おむつ１０に愛着を持ちやすくなる。よって、おむつ１０を大切にしたい、おむつ１０を汚したくないという気持ちから、乳幼児が自らトイレに行くように誘導できる。
【０１４９】
また、シール部材３０は、乳幼児がトイレトレーニングに成功した際に台紙２０に貼るご褒美シールとしても利用できる。乳幼児は、台紙２０にシール部材３０を貼る楽しさから、トイレトレーニングに対するモチベーションが向上し、トイレトレーニングの継続に繋がる。
【０１５０】
なお、第３ＡＲマーカー４３が付された台紙２０を利用しないトイレトレーニング方法であってもよい。その場合にも、乳幼児はシール部材３０を好きな場所に貼ることができ、シール部材３０をご褒美シールとして利用できる。
【０１５１】
また、おむつ１０や台紙２０のＡＲマーカー４１〜４３の近くに、端末１の操作の説明を設けてもよい。例えば、「ここにカメラをかざしてね」という文字や、カメラの絵を表示してもよい。そうすることで、操作者は、迷うことなく、ＡＲマーカー４１〜４３を目的の用途に利用できる。
【０１５２】
また、端末１の操作の説明とともに、カメラ６ａで撮影する範囲を示す枠線を、おむつ１０や台紙２０に付してもよい。そうすることで、より確実に、第１ＡＲマーカー４１及び第２ＡＲマーカー４２が同時にカメラ６ａに読み取られ、また、第１ＡＲマーカー４１及び第３ＡＲマーカー４３が同時にカメラ６ａに読み取られる。
【０１５３】
また、同一パッケージに収容された複数のおむつ１０において、シール部材３０に付された第１ＡＲマーカー４１と、後処理テープ１３に付された第２ＡＲマーカー４２の一方、又は、両方を異ならせるとよい。
【０１５４】
そして、制御部２は、読み取り部６が異なる第１ＡＲマーカー４１及び第２ＡＲマーカー４２の組み合わせを読み取ったことを認識した場合には、乳幼児にトイレトレーニングを行うことを促す情報を異ならせて、出力部５に出力させるとよい。
【０１５５】
同様に、制御部２は、読み取り部６が異なる第１ＡＲマーカー４１を読み取ったことを認識した場合には、乳幼児をトイレに誘導する情報を異ならせて、出力部５に出力させるとよい。
【０１５６】
そのために、ＡＲマーカー４１〜４２とトイレトレーニング情報が対応づけられたテーブル９（図５参照）において、異なるＡＲマーカー４１，４２には異なる種類のトイレトレーニング情報を対応付けるとよい。
【０１５７】
例えば、トイレトレーニングの状況が同じであり、乳幼児をトイレに誘導する情報が出力される場合であっても、シール部材３０に付された図柄が猫である場合には、「トイレに座ってみよう」の声掛けが出力され、シール部材３０に付された図柄がうさぎである場合には、「トイレにおいでよ」の声掛けが出力されるようにするとよい。
【０１５８】
こうして、端末１から出力されるトイレトレーニング情報を変化させることで、乳幼児の飽きを防止でき、トイレトレーニングの継続に繋がる。また、同一パッケージ内に種々のデザインのおむつ１０が収容されるため、乳幼児にとって、おむつ１０を選ぶ楽しみが増え、楽しみながらトイレトレーニングを行える。
【０１５９】
また、台紙２０は複数のシール付与部２１を有するが、シール付与部２１によって、図柄（第３ＡＲマーカー４３）を異ならせてもよい。そして、制御部２は、読み取り部６が異なる第１ＡＲマーカー４１及び第３ＡＲマーカー４３の組み合わせを読み取ったことを認識した場合にも、異なるトイレトレーニング情報を出力部５に出力させるとよい。そうすることで、乳幼児の飽きをさらに防止でき、トイレトレーニングの継続に繋がる。
【０１６０】
＝＝＝変形例＝＝＝
＜＜変形例１＞＞
図１４は、変形例１のトイレトレーニング方法のフロー図である。変形例１のトイレトレーニングシステムは、前述のトイレトレーニングシステムと同じ構成の端末１、おむつ１０、及び、台紙２０を備えるものとする。ただし、後処理テープ１３に付された図柄がＡＲマーカー（第２画像）でないとする。つまり、前述の実施例と変形例１とでは、ＡＲマーカーとトイレトレーニング情報が対応付けられたテーブル９（図５参照）が異なる。
【０１６１】
変形例１のトイレトレーニング方法では、まず、端末１の操作者が、おむつ１０に貼られている状態、又は、おむつ１０から分離された状態のシール部材３０に、端末１のカメラ６ａをかざす。そうすると、制御部２は、第１ＡＲマーカー４１の読み取りデータを取得し（Ｓ２１）、読み取り部６がシール部材３０の第１ＡＲマーカー４１（第１画像）を単独で読み取ったことを認識する。
【０１６２】
そうすると、制御部２は、第１ＡＲマーカー４１に対応付けられているトイレトレーニング情報（第１トイレトレーニング情報）、ここでは、乳幼児にトイレトレーニングを行うことを促す情報を、出力部５に出力させる（Ｓ２２）。
【０１６３】
なお、後処理テープ１３の図柄はＡＲマーカーとして登録されていないため、シール部材３０と後処理テープ１３が同時にカメラ６ａに読み取られても、シール部材３０の図柄のみ第１ＡＲマーカー４１として読み取られる。
【０１６４】
その後、保護者又は乳幼児は、おむつ１０から分離されたシール部材３０を、台紙２０に貼り付ける。そして、保護者が、台紙２０に貼られているシール部材３０に、端末１のカメラ６ａをかざす。そうすると、制御部２は、第１ＡＲマーカー４１及び第３ＡＲマーカー４３の読み取りデータを取得し（Ｓ２３）、読み取り部６が、台紙２０の所定の位置に貼られた状態のシール部材３０の第１ＡＲマーカー４１（第１画像）とともに、第３ＡＲマーカー４３（第２画像）を読み取ったことを認識する。
【０１６５】
そうすると、制御部２は、第１ＡＲマーカー４１及び第３ＡＲマーカー４３に対応付けられているトイレトレーニング情報（第２トイレトレーニング情報）、ここでは、乳幼児をトイレへ誘導する情報を、出力部５に出力させる（Ｓ２４）。
【０１６６】
＜＜変形例２＞＞
図１５は、変形例２のトイレトレーニング方法のフロー図である。変形例２のトイレトレーニングシステムの構成は、変形例１と同じである。ただし、変形例１と変形例２では、ＡＲマーカーとトイレトレーニング情報が対応付けられたテーブル９が異なる。
【０１６７】
変形例２では、まず、保護者又は乳幼児が、おむつ１０からシール部材３０を分離し、シール部材３０を台紙２０に貼る。そして、端末１の操作者が、台紙２０に貼られているシール部材３０にカメラ６ａをかざす。そうすると、制御部２は、第１ＡＲマーカー４１及び第３ＡＲマーカー４３の読み取りデータを取得し（Ｓ３１）、読み取り部６が、台紙２０の所定の位置に貼られた状態のシール部材３０の第１ＡＲマーカー４１（第１画像）とともに、第３ＡＲマーカー４３（第２画像）を読み取ったことを認識する。
【０１６８】
そうすると、制御部２は、第１ＡＲマーカー４１及び第３ＡＲマーカー４３に対応付けられているトイレトレーニング情報（第２トイレトレーニング情報）、ここでは、乳幼児にトイレトレーニングを行うことを促す情報を、出力部５に出力させる（Ｓ３２）。
【０１６９】
その後、保護者又は乳幼児は、台紙２０から分離されたシール部材３０を、トイレ内（例えば便器５０の蓋）に貼る。そして、保護者が、トイレ内のシール部材３０に端末１のカメラ６ａをかざす。そうすると、制御部２は、第１ＡＲマーカー４１の読み取りデータを取得し（Ｓ３３）、読み取り部６が、シール部材３０の第１ＡＲマーカー４１を単独で読み取ったことを認識する。
【０１７０】
そうすると、制御部２は、第１ＡＲマーカー４１に対応付けられているトイレトレーニング情報（第１トイレトレーニング情報）、ここでは、乳幼児をトイレへ誘導する情報を、出力部５に出力させる（Ｓ３４）。
【０１７１】
＜＜効果＞＞
変形例１及び変形例２においても、１つのシール部材３０によって、トイレトレーニングの状況に応じた情報が、トイレトレーニングの流れに沿って順に端末１から出力される。よって、効率的にトイレトレーニングを進められる。
【０１７２】
また、変形例１及び変形例２においても、おむつ１０からシール部材３０を分離して、乳幼児をトイレへ誘導する情報を出力する。よって、おむつ１０を着用している乳幼児も、端末１の画面５ａで、トイレへ誘導する情報を見ることができる。
【０１７３】
また、変形例１及び変形例２においても、前述の実施例と同様に、制御部２が、おむつ１０の使用枚数、トイレへ誘導した回数、及び、シール部材３０の数を累積する処理を実行してもよい。また、制御部２は、シール部材３０の数に応じたトイレトレーニング情報を出力させてもよい。
【０１７４】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【０１７５】
第１画像〜第３画像は、ＡＲコードに限らない。第１〜第３画像は、端末１の読み取り部６に読み取られることで、トイレトレーニング情報が端末１の出力部５から出力される識別子であればよい。例えば、第１〜第３画像は、トイレトレーニング情報を表示するＷｅｂサイトにアクセスするＱＲコード（登録商標）等でもよい。
【符号の説明】
【０１７６】
１  端末（トイレトレーニング用端末）、２  制御部、３  記憶部、
４  入力部、５  出力部、５ａ  画面、５ｂ  音再生部、
６  読み取り部、６ａ  カメラ、７  位置情報取得部、
８  日時情報取得部、９  テーブル、
１０  おむつ（使い捨ておむつ）、１１  吸収性本体、１１Ａ  吸収性コア、
１２  背側胴回り部、１２１  肌側シート、１２２  非肌側シート、
１２３  プリントシート、１２４  胴回り弾性部材、１３  後処理テープ、
２０  台紙、２１  シール付与部、
３０  シール部材、
４１  第１ＡＲマーカー（第１画像）、
４２  第２ＡＲマーカー（第２画像）、
４３  第３ＡＲマーカー（第２画像、第３画像）、
５０  便器、
【図１】
2019076393.tif 000003
【図２】
2019076393.tif 000004
【図３】
2019076393.tif 000005
【図４】
2019076393.tif 000006
【図５】
2019076393.tif 000007
【図６】
2019076393.tif 000008
【図７】
2019076393.tif 000009
【図８】
2019076393.tif 000010
【図９】
2019076393.tif 000011
【図１０】
2019076393.tif 000012
【図１１】
2019076393.tif 000013
【図１２】
2019076393.tif 000014
【図１３】
2019076393.tif 000015
【図１４】
2019076393.tif 000016
【図１５】
2019076393.tif 000017